(57)【要約】【課題】タッチパネルの複数のボタンの選択を容易にする。【解決手段】操作を指示する画像を表示する表示部１１０と、表示部１１０の画面上に設置されたタッチパネル１２０と、タッチパネル１２０上のタッチされている座標を出力する座標出力部１３０と、を含むタッチパネル操作部１００と、表示部１１０に複数の領域と、各々の領域の中に複数のボタンと、を含む操作を指示する画像を表示するパネル表示部２１２と、現時点での座標が含まれる領域を特定する領域特定部２１４と、タッチパネル１２０上をタッチしたまま移動することにより座標が現在の領域から別の領域に移動した時点で、移動する前の領域に含まれる複数のボタンのうち、座標が最初または最後に通過したボタンを有効にするボタン特定部２１６と、を含むタッチパネル入力装置１。【選択図】図１
2009169938.tif 000002
【特許請求の範囲】
【請求項１】
画像表示部とタッチパネルとを備えたタッチパネル入力装置であって、
前記タッチパネル上のタッチ位置を検出するタッチ位置検出部と、
前記画像表示部に、複数の選択肢領域を設定し、前記選択肢領域それぞれの中に一または複数の選択肢を示す画像を表示する選択肢表示部と、
前記タッチ位置検出部により検出されるタッチ位置に基づいて、操作者により選択された選択肢を特定する選択肢特定部と、を備え、
前記選択肢特定部は、
前記タッチ位置がタッチ状態を維持したまま前記選択肢領域間を移動した場合、
移動元の選択肢領域に属する選択肢のうち、最初または最後にタッチ位置が検出された選択肢を、操作者により選択された選択肢と特定する、
ことを特徴とするタッチパネル入力装置。
【請求項２】
請求項１に記載のタッチパネル入力装置であって、
前記選択肢領域それぞれについて、最初または最後にタッチ位置が検出された選択肢のいずれかを、操作者により選択された選択肢と特定するように設定できることを特徴とするタッチパネル入力装置。
【請求項３】
請求項１または２に記載のタッチパネル入力装置であって、
前記選択肢特定部は、
前記タッチ位置が前記選択肢領域内から外へ移動した場合、
当該選択肢領域に属する選択肢のうち、最初または最後にタッチ位置が検出された選択肢を、操作者により選択された選択肢と特定する、
ことを特徴とするタッチパネル入力装置。
【請求項４】
請求項１または２に記載のタッチパネル入力装置であって、
前記選択肢特定部は、
非タッチ状態からタッチ状態となった場合において、
最初にタッチ位置が検出された選択肢領域については、その選択肢領域に属する選択肢のうち、最初にタッチ位置が検出された選択肢を、操作者により選択された選択肢と特定する、
ことを特徴とするタッチパネル入力装置。
【請求項５】
請求項１または２に記載のタッチパネル入力装置であって、
前記選択肢特定部は、
タッチ状態から非タッチ状態となった場合において、
最後にタッチ位置が検出された選択肢領域については、その選択肢領域に属する選択肢のうち、最後にタッチ位置が検出された選択肢を、操作者により選択された選択肢と特定する、
ことを特徴とするタッチパネル入力装置。
【請求項６】
請求項１または２に記載のタッチパネル入力装置であって、
前記選択肢表示部は、操作者により選択されたと特定した選択肢をハイライト表示することを特徴とするタッチパネル入力装置。
【請求項７】
請求項１または２に記載のタッチパネル入力装置を備えたことを特徴とする電子機器。
【請求項８】
画像表示部とタッチパネルとを備えたタッチパネル入力装置の制御方法であって、
前記タッチパネル上のタッチ位置を検出するタッチ位置検出ステップと、
前記画像表示部に、複数の選択肢領域を設定し、前記選択肢領域それぞれの中に一または複数の選択肢を示す画像を表示する選択肢表示ステップと、
前記タッチ位置検出ステップにより検出されるタッチ位置に基づいて、操作者により選択された選択肢を特定する選択肢特定ステップと、を有し、
前記選択肢特定ステップは、
前記タッチ位置がタッチ状態を維持したまま前記選択肢領域間を移動した場合、
移動元の選択肢領域に属する選択肢のうち、最初または最後にタッチ位置が検出された選択肢を、操作者により選択された選択肢と特定する、
ことを特徴とするタッチパネル入力装置の制御方法。
【請求項９】
画像表示部とタッチパネルとを備えたタッチパネル入力装置の制御プログラムであって、
前記タッチパネル上のタッチ位置を検出するタッチ位置検出ステップと、
前記画像表示部に、複数の選択肢領域を設定し、前記選択肢領域それぞれの中に一または複数の選択肢を示す画像を表示する選択肢表示ステップと、
前記タッチ位置検出ステップにより検出されるタッチ位置に基づいて、操作者により選択された選択肢を特定する選択肢特定ステップと、を有し、
前記選択肢特定ステップは、
前記タッチ位置がタッチ状態を維持したまま前記選択肢領域間を移動した場合、
移動元の選択肢領域に属する選択肢のうち、最初または最後にタッチ位置が検出された選択肢を、操作者により選択された選択肢と特定する、
ことを特徴とするタッチパネル入力装置の制御プログラム。
【請求項１０】
操作を指示する画像を表示する表示部と、前記表示部の画面上に設置されたタッチパネルと、前記タッチパネル上のタッチされている座標を出力する座標出力部と、を含むタッチパネル操作部と、
前記表示部に複数の領域と、各々の前記領域の中に複数のボタンと、を含む操作を指示する画像を表示するパネル表示部と、
現時点での前記座標が含まれる前記領域を特定する領域特定部と、
前記タッチパネル上をタッチしたまま移動することにより前記座標が現在の前記領域から別の前記領域に移動した時点で、移動する前の前記領域に含まれる前記複数のボタンのうち、前記座標が最初または最後に通過した前記ボタンを有効にするボタン特定部と、
を含む、
ことを特徴とするタッチパネル入力装置。
【発明の詳細な説明】
【技術分野】
【０００１】
本発明は、表示部と表示部の画面上に設けられたタッチパネルとからなり画面上の表示をタッチすることで電子機器を操作するタッチパネル入力装置、タッチパネル入力装置の制御方法及び制御プログラム、電子機器に関する。
【背景技術】
【０００２】
一般に、タッチパネルは、液晶表示装置などの表示面に設けられ、ポインティングデバイスとして使用されている。この種のタッチパネルとして、例えば特許文献１に示すような抵抗膜式アナログタッチパネルなどが知られている。
【０００３】
このようなタッチパネルを備えたプリンタなどの電子機器では、図５に示すように複数のボタンが表示されており、これらのボタンのいくつかをタッチして操作を指示する必要がある。例えば、図５において先ず用紙種類を選ぶために「普通紙」ボタンＢ１１をタッチし、次に用紙サイズを選ぶために「Ａ４」ボタンＢ２１をタッチし、最後にレイアウトを選ぶために「縁なし」ボタンＢ３２をタッチすることで電子機器への操作指示を行う場合がある。
【０００４】
【特許文献１】特開２００４−２１３３１２号公報（図１、図６）
【発明の開示】
【発明が解決しようとする課題】
【０００５】
しかしながら、従来の方法では、１つの操作を指示するために画面上の３つのボタンをタッチし直さなければならない。
【０００６】
そこで、本発明は、複数のボタンが表示されるタッチパネルにおいて、操作性を向上するための技術を提供する。
【課題を解決するための手段】
【０００７】
上記の課題を解決するための本発明の第一の態様は、画像表示部とタッチパネルとを備えたタッチパネル入力装置であって、前記タッチパネル上のタッチ位置を検出するタッチ位置検出部と、前記画像表示部に、複数の選択肢領域を設定し、前記選択肢領域それぞれの中に一または複数の選択肢を示す画像を表示する選択肢表示部と、前記タッチ位置検出部により検出されるタッチ位置に基づいて、操作者により選択された選択肢を特定する選択肢特定部と、を備え、前記選択肢特定部は、前記タッチ位置がタッチ状態を維持したまま前記選択肢領域間を移動した場合、移動元の選択肢領域に属する選択肢のうち、最初または最後にタッチ位置が検出された選択肢を、操作者により選択された選択肢と特定する、ことを特徴とする。
【０００８】
ここで、上記のタッチパネル入力装置であって、前記選択肢領域それぞれについて、最初または最後にタッチ位置が検出された選択肢のいずれかを、操作者により選択された選択肢と特定するように設定できてもよい。
【０００９】
また、上記のタッチパネル入力装置であって、前記選択肢特定部は、非タッチ状態からタッチ状態となった場合において、最初にタッチ位置が検出された選択肢領域については、その選択肢領域に属する選択肢のうち、最初にタッチ位置が検出された選択肢を、操作者により選択された選択肢と特定するようにしてもよい。
【００１０】
また、上記のタッチパネル入力装置であって、前記選択肢特定部は、前記タッチ位置が前記選択肢領域内から外へ移動した場合、当該選択肢領域に属する選択肢のうち、最初または最後にタッチ位置が検出された選択肢を、操作者により選択された選択肢と特定するようにしてもよい。
【００１１】
また、上記のタッチパネル入力装置であって、前記選択肢特定部は、タッチ状態から非タッチ状態となった場合において、最後にタッチ位置が検出された選択肢領域については、その選択肢領域に属する選択肢のうち、最後にタッチ位置が検出された選択肢を、操作者により選択された選択肢と特定するようにしてもよい。
【００１２】
また、上記のタッチパネル入力装置であって、前記選択肢表示部は、操作者により選択されたと特定した選択肢をハイライト表示してもよい。
【００１３】
また、上記の課題を解決するための本発明の第２の態様は、上記のいずれかのタッチパネル入力装置を備えた電子機器である。
【００１４】
また、上記の課題を解決するための本発明の第３の態様は、画像表示部とタッチパネルとを備えたタッチパネル入力装置の制御方法であって、前記タッチパネル上のタッチ位置を検出するタッチ位置検出ステップと、前記画像表示部に、複数の選択肢領域を設定し、前記選択肢領域それぞれの中に一または複数の選択肢を示す画像を表示する選択肢表示ステップと、前記タッチ位置検出ステップにより検出されるタッチ位置に基づいて、操作者により選択された選択肢を特定する選択肢特定ステップと、を有し、前記選択肢特定ステップは、前記タッチ位置がタッチ状態を維持したまま前記選択肢領域間を移動した場合、移動元の選択肢領域に属する選択肢のうち、最初または最後にタッチ位置が検出された選択肢を、操作者により選択された選択肢と特定する、ことを特徴とする。
【００１５】
また、上記の課題を解決するための本発明の第４の態様は、画像表示部とタッチパネルとを備えたタッチパネル入力装置の制御プログラムであって、前記タッチパネル上のタッチ位置を検出するタッチ位置検出ステップと、前記画像表示部に、複数の選択肢領域を設定し、前記選択肢領域それぞれの中に一または複数の選択肢を示す画像を表示する選択肢表示ステップと、前記タッチ位置検出ステップにより検出されるタッチ位置に基づいて、操作者により選択された選択肢を特定する選択肢特定ステップと、を有し、前記選択肢特定ステップは、前記タッチ位置がタッチ状態を維持したまま前記選択肢領域間を移動した場合、移動元の選択肢領域に属する選択肢のうち、最初または最後にタッチ位置が検出された選択肢を、操作者により選択された選択肢と特定する、ことを特徴とする。
【００１６】
また、上記の課題を解決するための第５の態様は、操作を指示する画像を表示する表示部と、前記表示部の画面上に設置されたタッチパネルと、前記タッチパネル上のタッチされている座標を出力する座標出力部と、を含むタッチパネル操作部と、前記表示部に複数の領域と、各々の前記領域の中に複数のボタンと、を含む操作を指示する画像を表示するパネル表示部と、現時点での前記座標が含まれる前記領域を特定する領域特定部と、前記タッチパネル上をタッチしたまま移動することにより前記座標が現在の前記領域から別の前記領域に移動した時点で、移動する前の前記領域に含まれる前記複数のボタンのうち、前記座標が最初または最後に通過した前記ボタンを有効にするボタン特定部と、を含む、ことを特徴とする。
【発明を実施するための最良の形態】
【００１７】
以下、タッチパネル入力装置の実施形態について図面に従って説明する。
【００１８】
（第１実施形態）
＜タッチパネル入力装置の構成＞
先ず、第１実施形態に係るタッチパネル入力装置の構成について、図１を参照して説明する。図１は、第１実施形態に係るタッチパネル入力装置の構成を示すブロック図である。
【００１９】
図１に示すように、タッチパネル入力装置１は、タッチパネル操作部１００と、ホストコンピュータ２００と、から構成されている。
【００２０】
タッチパネル操作部１００は、操作を指示する画像を表示する表示部である液晶表示パネル（ＬＣＤ：Liquid Crystal Display）１１０と、ＬＣＤ１１０の画面上に設置されたタッチパネル１２０と、タッチパネル１２０上のタッチされている座標信号ＣＳを出力する座標出力部であるタッチパネルコントローラ１３０と、から構成されている。
【００２１】
ホストコンピュータ２００は、ＣＰＵ２１０と、ＲＯＭ２２０と、ＲＡＭ２３０と、ＬＣＤ１１０をコントロールするコントロール信号ＬＳを出力するＬＣＤコントローラ２４０と、電子機器がプリンタである場合にプリンタをコントロールするプリンタコントローラ２５０と、が内部バス２６０を介して接続されている。タッチパネルコントローラ１３０が出力する座標信号ＣＳは、内部バス２６０に接続される。ＣＰＵ２１０は、ＲＯＭ２２０に格納されたパネル表示部２１２と領域特定部２１４とボタン特定部２１６とからなる制御プログラムを読み出し実行する。
【００２２】
＜タッチパネル操作部の表示例＞
次に、タッチパネル操作部の表示例について図２を参照して説明する。図２は、タッチパネル操作部の表示例を示すレイアウト図である。
【００２３】
電子機器であるプリンタ１０００は、操作パネルの一例として図２に示すようなタッチパネル操作部１００を有するものとする。タッチパネル操作部１００は、パネル表示部２１２によりＬＣＤ１１０の画面に（複数＝）３つの領域Ｒ１，Ｒ２，Ｒ３と、領域Ｒ１内に（複数＝）２個のボタンＢ１１，Ｂ１２と、領域Ｒ２内に（複数＝）３個のボタンＢ２１，Ｂ２２，Ｂ２３と、領域Ｒ３内に（複数＝）３個のボタンＢ３１，Ｂ３２，Ｂ３３と、の画像が表示されている。
【００２４】
領域Ｒ１には用紙種類を選択するためのボタンがあり、ボタンＢ１１を選択すると「普通紙」が選択され、ボタンＢ１２を選択すると「写真用紙」が選択される。領域Ｒ２には用紙サイズを選択するためのボタンがあり、ボタンＢ２１を選択すると「Ａ４」が選択され、ボタンＢ２２を選択すると「Ｌ判」が選択され、ボタンＢ２３を選択すると「はがき」が選択される。領域Ｒ３にはレイアウトを選択するためのボタンがあり、ボタンＢ３１を選択すると「縁あり」が選択され、ボタンＢ３２を選択すると「縁なし」が選択され、ボタンＢ３３を選択すると「上半分」が選択される。
【００２５】
領域特定部２１４は、座標信号ＣＳに含まれる座標値が現在どの領域にいるかを特定する。ボタン特定部２１６は、座標値がどのボタンを通過したかを特定し、座標値が現在の領域から別の領域に移動した時点で、移動する前の領域に含まれるボタンのうち、最初または最後に通過したボタンを有効にする。
【００２６】
＜タッチパネル入力装置の動作＞
次に、タッチパネル入力装置の動作について図３を参照して説明する。図３は、タッチパネル入力装置の動作を示すフローチャートである。なお、本実施形態では、ボタン特定部２１６は、タッチパネル１２０上で最初にタッチされた領域では最初に指などが通過したボタンを有効にし、それ以外の領域では最後に通過したボタンを有効にするように設定されているものとする。
【００２７】
先ず、ステップＳ１００では、タッチパネルコントローラ１３０から座標信号ＣＳを取得する。
【００２８】
次に、ステップＳ１０２では、座標信号ＣＳがある（タッチパネル１２０が指などでタッチされている）か否かを判定し、座標信号ＣＳがある場合（タッチ状態）はステップＳ１０４に移行し、座標信号ＣＳがない場合（非タッチ状態）はステップＳ１１４に移行する。
【００２９】
次に、ステップＳ１０４では、領域特定部２１４により座標信号ＣＳの座標値が含まれる領域Ｒ１〜Ｒ３を特定する。
【００３０】
次に、ステップＳ１０６では、領域特定部２１４により特定された領域が最初に特定された領域か否かを判定し、最初に特定された領域である場合はステップＳ１０８に移行し、最初に特定された領域でない場合はステップＳ１１０に移行する。
【００３１】
次に、ステップＳ１０８では、ボタン特定部２１６により座標値がボタンを通過したかを監視し、最初に通過したボタンを特定し、ステップＳ１１２に移行する。
【００３２】
一方、ステップＳ１１０では、ボタン特定部２１６により座標値がボタンを通過したかを監視し、最後に通過したボタンを特定し、ステップＳ１１２に移行する。
【００３３】
次に、ステップＳ１１２では、領域を移動したか否かを判定し、領域を移動した場合はステップＳ１１４に移行し、領域を移動してない場合はステップＳ１００に移行する。
【００３４】
次に、ステップＳ１１４では、ボタン特定部２１６で特定されたボタンを有効にし、ステップＳ１００に移行する。なお、ステップＳ１０２から本ステップに移行した場合は、タッチパネル１２０から指などが離された状態と判断できる。
【００３５】
次に、タッチパネル入力装置の動作について図４を参照して説明する。図４は、タッチパネル入力装置の動作を示す遷移図である。図４では、用紙種類を「普通紙」、用紙サイズを「Ｌ判」、レイアウトを「縁なし」に設定する場合を例示する。
【００３６】
先ず、図４（Ａ）に示すように、用紙種類を選択するためにタッチパネル操作部１００の領域Ｒ１に含まれる「普通紙」ボタンＢ１１を指でタッチする。領域Ｒ１では、最初に通過したボタンが有効となるので、「普通紙」ボタンＢ１１がハイライト表示される。
【００３７】
次に、図４（Ｂ）に示すように、用紙サイズを選択するためにタッチパネル操作部１００から指を離さずに領域Ｒ１を出て領域Ｒ２に移動し、「Ｌ判」ボタンＢ２２を指が通過する。領域Ｒ２，Ｒ３では、最後に通過したボタンが有効となるが、図４（Ｂ）の時点では、現在指が通過中の「Ｌ判」ボタンＢ２２がハイライト表示されている。
【００３８】
次に、図４（Ｃ）に示すように、用紙サイズを「はがき」に設定するために「Ｌ判」ボタンＢ２２を通過し、「はがき」ボタンＢ２３を通過して領域Ｒ２から領域Ｒ３に指が移動し、「上半分」ボタンＢ３３を指が通過する。領域Ｒ２から領域Ｒ３に移動した時点で領域Ｒ２で最後に通過した「はがき」ボタンＢ２３が有効となり、ハイライト表示される。
【００３９】
次に、図４（Ｄ）に示すように、レイアウトを「縁なし」に設定するために「上半分」ボタンＢ３３を通過し、「縁なし」ボタンＢ３２を通過した時点で指をタッチパネル操作部１００から離す。この時点で「縁なし」ボタンＢ３２が有効となり、ハイライト表示される。
【００４０】
図４で示したように、タッチパネル操作部１００上で指を「普通紙」ボタンＢ１１にタッチ後、そのまま指を離さずに「はがき」ボタンＢ２３と「縁なし」ボタンＢ３２の上を通過して離すことにより、１回のタッチ操作で３つのボタンを選択することができる。
【００４１】
以上に述べた本実施形態によれば、以下の効果が得られる。
【００４２】
本実施形態では、タッチパネルを押したまま移動することで複数のボタンを選択することができるので、操作性を向上させることができ、さらに選択されたボタンがハイライト表示されるので、誤動作を防ぐことができる。また、操作性を向上させた電子機器を提供することができる。
【００４３】
以上、タッチパネル入力装置の実施形態を説明したが、こうした実施の形態に何ら限定されるものではなく、趣旨を逸脱しない範囲内において様々な形態で実施し得ることができる。以下、変形例を挙げて説明する。
【００４４】
（変形例１）タッチパネル入力装置の変形例１について説明する。前記第１実施形態では、最初に指がタッチした領域では最初に通過したボタンを有効にし、それ以外の領域では最後に通過したボタンを有効にするように説明したが、これ以外の設定も可能である。例えば、すべての領域を最初に通過したボタンを有効にするようにしてもよいし、すべての領域を最後に通過したボタンを有効にするようにしてもよいし、それ以外の組み合わせも考えられる。また、領域ごとに、最初または最後に通過したボタンのいずれかを有効にするように設定できてもよい。この設定は、例えば、タッチパネル操作部１００が表示した設定画面を介して操作者により指定される。また、３つの領域の場合を説明したが、２つの領域や４つ以上の領域に分けてもよい。また、１つの領域に含まれるボタンは、１つであってもよい。
【００４５】
（変形例２）タッチパネル入力装置の変形例２について説明する。前記第１実施形態では、タッチパネル操作部１００としてＬＣＤ１１０の画面上にタッチパネル１２０を設定し指で操作するように説明したが、タッチパネルをペンタブレットやマウスにしパーソナルコンピュータと接続しディスプレイ上に操作パネルを表示するプログラムとして構成することもできる。
【図面の簡単な説明】
【００４６】
【図１】第１実施形態に係るタッチパネル入力装置の構成を示すブロック図。
【図２】タッチパネル操作部の表示例を示すレイアウト図。
【図３】タッチパネル入力装置の動作を示すフローチャート。
【図４】タッチパネル入力装置の動作を示す遷移図。
【図５】従来のタッチパネル操作部の表示例を示すレイアウト図。
【符号の説明】
【００４７】
１…タッチパネル入力装置、１００…タッチパネル操作部、１１０…ＬＣＤ、１２０…タッチパネル、１３０…タッチパネルコントローラ、２００…ホストコンピュータ、２１０…ＣＰＵ、２１２…パネル表示部、２１４…領域特定部、２１６…ボタン特定部、２２０…ＲＯＭ、２３０…ＲＡＭ、２４０…ＬＣＤコントローラ、２５０…プリンタコントローラ、２６０…内部バス、１０００…プリンタ。
【図１】
2009169938.tif 000003
【図２】
2009169938.tif 000004
【図３】
2009169938.tif 000005
【図４】
2009169938.tif 000006
【図５】
2009169938.tif 000007